(57)【要約】【課題】感光体の膜の厚さや、感光体が接地電位に近づく速度にかかわらず、像剤保持体の表面の電位を一定の時間で接地電位とする場合と比較して、感光体を摩耗しにくくする。【解決手段】画像形成装置１０は、表面に膜１１４が形成されていて、潜像を保持する感光体１１０と、感光体１１０に供給する現像剤を保持する現像スリーブ１３８を備えた現像装置１３０と、現像装置１３０を制御する制御部３００とを有し、制御部３００は、画像形成を停止する際に、１１０感光体の膜１１４の厚さが薄くなることに応じて、現像スリーブ１３８の表面の電位を段階的に接地電位とするまでの時間を長くするように現像装置１３０を制御する。【選択図】図５
2019184696.tif 000002
【特許請求の範囲】
【請求項１】
表面に膜が形成されていて、潜像を保持する感光体と、
前記感光体に供給する現像剤を保持する現像剤保持体を備えた現像装置と、
少なくとも前記現像装置を制御する制御部と、
を有し、
前記制御部は、画像形成を停止する際に、前記感光体の前記膜の厚さが薄くなることに応じて、前記現像剤保持体の表面の電位を段階的に接地電位とするまでの時間を長くするように前記現像装置を制御する画像形成装置。
【請求項２】
前記感光体の膜の厚さを検出する検出手段をさらに有し、
前記制御部は、前記検出手段の出力に基づいて、前記感光体の前記膜の厚さが薄くなることに応じて、前記現像剤保持体の表面の電位を段階的に接地電位とするまでの時間を長くするように前記現像装置を制御する請求項１記載の画像形成装置。
【請求項３】
前記感光体を用いて形成された画像の数を計数する計数手段をさらに有し、
前記制御部は、前記計数手段の出力に基づいて、前記感光体を用いて形成した画像の数が多くなることに応じて、前記現像剤保持体の表面の電位を段階的に接地電位とするまでの時間を長くするように前記現像装置を制御する請求項１記載の画像形成装置。
【請求項４】
潜像を保持する感光体と、
前記感光体に供給する現像剤を保持する現像剤保持体を備えた現像装置と、
少なくとも前記現像装置を制御する制御部と、
を有し、
前記制御部は、画像形成を停止する際に、前記感光体の表面の電位が接地電位に近づくことに要する時間が長くなることに応じて、前記現像剤保持体の表面の電位を段階的に接地電位とするまでの時間を長くするように前記現像装置を制御する画像形成装置。
【請求項５】
前記制御部は、
前記現像剤保持体の表面の電位を段階的に接地電位に近づくように制御し、
前記現像剤保持体の表面の電位を接地電位に近づける時間を長くする際に、それぞれの段階を継続させる時間を均一に長くする請求項１から４のいずれかに記載の画像形成装置。
【請求項６】
前記制御部は、
前記現像剤保持体の表面の電位を段階的に接地電位に近づくように制御し、
前記現像剤保持体の表面の電位を接地電位に近づける時間を長くする際に、少なくとも一つの段階の継続する時間を長くし、段階毎に該段階の継続する時間を制御する請求項４記載の画像形成装置。
【請求項７】
前記感光体を帯電させる帯電装置をさらに有し、
前記制御部は、画像形成を停止する際に、前記帯電装置を制御して、前記感光体の表面の電位を接地電位に近づけるように、前記帯電装置に前記感光体を除電させる請求項１から６のいずれか記載の画像形成装置。
【発明の詳細な説明】
【技術分野】
【０００１】
本発明は、画像形成装置に関する。
【背景技術】
【０００２】
特許文献１には、帯電手段によって所定の電位に帯電された後、露光手段によって静電潜像が形成され、その静電潜像が現像手段によって現像されることにより形成される可視像を担持する感光体と、前記感光体に対向し、前記可視像を記録媒体に転写するための転写手段と、前記感光体の移動方向における前記転写手段より下流側において、前記感光体の表面に接触して紙紛を除去するための紙紛除去手段とを備える画像形成装置において、前記紙紛除去手段には、前記感光体の表面上の紙紛を電気的に捕捉するために、前記紙紛除去手段にバイアス電圧を印加する電源装置が接続されるとともに、前記紙紛除去手段と前記電源装置との間には、前記感光体から前記電源装置に電流が逆流することを防止するための逆流防止手段が設けられていることを特徴とする、画像形成装置が記載されている。
【０００３】
特許文献２には、支持体上に中間層、電荷発生層、電荷輸送層をこの順に有する電子写真感光体において、該中間層が電子輸送材料を重合させた層であり、かつ、該電荷発生層が電子輸送材料を含有することを特徴とする電子写真感光体が記載されている。
【先行技術文献】
【特許文献】
【０００４】
【特許文献１】特開２００２−１９６６３８号公報
【特許文献２】特開２００７−１４８２９３号公報
【発明の概要】
【発明が解決しようとする課題】
【０００５】
画像形成装置では、画像形成の停止時に、感光体の表面が接地電位に近づけられ、現像剤保持体の電位が接地電位とされる。この際、感光体の表面の電位と現像剤保持体の表面の電位との差が予め定められた範囲内に保たれることが望ましい。しかしながら、感光体の膜の厚さや、感光体が接地電位に近づく速度にかかわらず、一定の時間で現像剤保持体の表面電位を接地電位としようとすると、現像剤保持体を接地電位とするまでの時間が必要以上に長くる虞があり、現像剤保持体を接地電位とするまでに感光体が駆動する時間が必要以上に長くなって、感光体が摩耗しやすくなる虞がある。
【０００６】
本発明は、感光体の膜の厚さや、感光体が接地電位に近づく速度にかかわらず、像剤保持体の表面の電位を一定の時間で接地電位とする場合と比較して、感光体を摩耗しにくくすることができる画像形成装置を提供することを目的とする。
【課題を解決するための手段】
【０００７】
請求項１に係る本発明は、
表面に膜が形成されていて、潜像を保持する感光体と、
前記感光体に供給する現像剤を保持する現像剤保持体を備えた現像装置と、
少なくとも前記現像装置を制御する制御部と、
を有し、
前記制御部は、画像形成を停止する際に、前記感光体の前記膜の厚さが薄くなることに応じて、前記現像剤保持体の表面の電位を段階的に接地電位とするまでの時間を長くするように前記現像装置を制御する画像形成装置である。
【０００８】
請求項２に係る本発明は、
前記感光体の膜の厚さを検出する検出手段をさらに有し、
前記制御部は、前記検出手段の出力に基づいて、前記感光体の前記膜の厚さが薄くなることに応じて、前記現像剤保持体の表面の電位を段階的に接地電位とするまでの時間を長くするように前記現像装置を制御する請求項１記載の画像形成装置である。
【０００９】
請求項３に係る本発明は、
前記感光体を用いて形成された画像の数を計数する計数手段をさらに有し、
前記制御部は、前記計数手段の出力に基づいて、前記感光体を用いて形成した画像の数が多くなることに応じて、前記現像剤保持体の表面の電位を段階的に接地電位とするまでの時間を長くするように前記現像装置を制御する請求項１記載の画像形成装置である。
【００１０】
請求項４に係る本発明は、
潜像を保持する感光体と、
前記感光体に供給する現像剤を保持する現像剤保持体を備えた現像装置と、
少なくとも前記現像装置を制御する制御部と、
を有し、
前記制御部は、画像形成を停止する際に、前記感光体の表面の電位が接地電位に近づくことに要する時間が長くなることに応じて、前記現像剤保持体の表面の電位を段階的に接地電位とするまでの時間を長くするように前記現像装置を制御する画像形成装置である。
【００１１】
請求項５に係る本発明は、
前記制御部は、
前記現像剤保持体の表面の電位を段階的に接地電位に近づくように制御し、
前記現像剤保持体の表面の電位を接地電位に近づける時間を長くする際に、それぞれの段階を継続させる時間を均一に長くする請求項１から４のいずれかに記載の画像形成装置である。
【００１２】
請求項６に係る本発明は、
前記制御部は、
前記現像剤保持体の表面の電位を段階的に接地電位に近づくように制御し、
前記現像剤保持体の表面の電位を接地電位に近づける時間を長くする際に、少なくとも一つの段階の継続する時間を長くし、段階毎に該段階の継続する時間を制御する請求項４記載の画像形成装置である。
【００１３】
請求項７に係る本発明は、
前記感光体を帯電させる帯電装置をさらに有し、
前記制御部は、画像形成を停止する際に、前記帯電装置を制御して、前記感光体の表面の電位を接地電位に近づけるように、前記帯電装置に前記感光体を除電させる請求項１から６のいずれか記載の画像形成装置である。
【発明の効果】
【００１４】
請求項１に係る本発明によれば、感光体の膜の厚さにかかわらず、像剤保持体の表面の電位を一定の時間で接地電位とする場合と比較して、感光体を摩耗しにくくすることができる画像形成装置を提供することができる。
【００１５】
請求項２に係る本発明によれば、膜の厚さを検出手段で検出せずに現像剤保持体の電位を接地電位とするまでの長さを長くする場合と比較して、制御を正確にすることができる。
【００１６】
請求項３に係る本発明によれば、膜の厚さを検出する検出手段の出力に基づいて現像剤保持体の電位を接地電位とするまでの長さを長くする場合と比較して、装置構造を簡単にすることができる。
【００１７】
請求項４に係る本発明によれば、感光体が接地電位に近づく速度にかかわらず、像剤保持体の表面の電位を一定の時間で接地電位とする場合と比較して、感光体を摩耗しにくくすることができる画像形成装置を提供することができる。
【００１８】
請求項５に係る本発明によれば、現像剤保持体の電位を段階的に接地電位とするまでの時間を長くする際に、段階毎に該段階の継続する時間を制御する場合と比較して、制御を簡単にすることができる。
【００１９】
請求項６に係る本発明によれば、現像剤保持体の電位を段階的に接地電位とするまでの時間を長くする際に、それぞれの段階の時間を均一に長くする場合と比較して、現像剤保持体の電位を接地電位とするまでの時間を短くすることができる。
【００２０】
請求項９に係る本発明によれば、帯電装置とは別に除電装置を設ける必要をなくすことができる。
【図面の簡単な説明】
【００２１】
【図１】本発明の実施形態で用いられる画像形成装置の概略構成を示す図である。
【図２】図１に示す画像形成装置の制御部を示すブロック図である。
【図３】画像形成を停止する際の感光体の表面の電位と、現像スリーブの表面の電位との変化を示すグラフである。
【図４】画像形成を停止する際における現像スリーブの表面の電位の制御を説明するフローチャートである。
【図５】画像形成を停止する際の現像スリーブの表面の電位の制御を説明し、図５（Ａ）は、感光体が摩耗していない場合の制御を説明するグラフであり、図５（Ｂ）は、感光体が摩耗した場合の第１の制御を説明するグラフであり、図５（Ｃ）は、感光体が摩耗した場合の第２の制御を説明するグラフである。
【図６】図１に示す画像形成装置の制御部の変形例を示すブロック図である。
【発明を実施するための形態】
【００２２】
以下、本発明の実施形態について図面を参照して詳細に説明する。図１は、本発明の実施形態で用いられる画像形成装置の一例である画像形成装置１０を示す図である。図１に示すように、画像形成装置１０は、画像形成装置本体１２を有し、画像形成装置本体１２内に像を形成する画像形成部１００が配置されている。
【００２３】
画像形成部１００は、感光体１１０を有する。感光体１１０は、潜像を保持し、例えば円柱形状であって、例えば、アルミニウム等の金属からなる基体１１２の表面に、例えば有機物からなる膜１１４が形成されている。膜１１４は、例えば３層構造を有し、基体１１２側から順に、下引き層、電荷発生層及び電荷輸送層（それぞれ不図示）を有する。また、感光体１１０は、図１に示す矢印ａ方向に回転する。
【００２４】
画像形成部１００は、帯電装置１２０をさらに有し、帯電装置１２０は帯電部材１２２を有する。帯電部材１２２は、例えばロール形状であって、帯電バイアスが印加された状態で感光体１１０の表面に接触し、感光体１１０の表面を帯電させる。帯電装置１２０は、感光体１１０の帯電に用いられるのみならず、除電バイアスが印加された状態で感光体１１０の表面に接触し、感光体１１０の表面を除電する。
【００２５】
像形成部１００は、露光装置１９０をさらに有する。露光装置１９０は、感光体１１０の表面に潜像を形成する潜像形成手段の一例であって、感光体１１０の表面に光を照射することで、感光体１１０の表面に潜像を形成する。
【００２６】
画像形成部１００は、現像装置１３０を有する。現像装置１３０は、感光体１１０が保持する潜像を現像剤を用いて現像する。より具体的には、現像装置１３０は、例えば負極性に帯電する非磁性トナーと、例えば正極性に帯電する磁性キャリアとが混合されてなる現像剤を用いて、非磁性トナーを静電的に感光体１１０に付着させることで、感光体１１０が保持する潜像を現像する。
【００２７】
現像装置１３０は、現像装置本体１３２を有し、現像装置本体１３２に現像ロール１３４が装着されている。現像ロール１３４は、例えば円柱形状の磁石部材１３６と、例えば筒状であって、磁石部材１３６を覆い、磁石部材１３６に支持されつつ矢印ｂ方向に回転する現像スリーブ１３８とを有する。ここで、現像スリーブ１３８は、感光体１１０に供給する現像剤を保持する現像剤保持体の一例である。
【００２８】
現像装置１３０は、現像バイアス電源１４２をさらに有する。現像バイアス電源１４２は、現像スリーブ１３８に現像バイアスを印加する。
【００２９】
以上のように構成された現像装置１３０においては、現像装置本体１３２内に収納された現像剤が現像スリーブ１３８に磁力により保持され、磁力により現像スリーブ１３８に保持された現像剤中のトナーが感光体１１０へと静電的に移動することで、感光体１１０が保持する潜像を現像する。
【００３０】
画像形成装置１０は、転写装置１５０をさらに有する。転写装置１５０は、感光体１１０の表面に形成されたトナー像を後述する記録媒体へと転写する。記録媒体としては、例えば普通紙を用いることができる。
【００３１】
画像形成装置１０は、定着装置１６０をさらに有する。定着装置１６０は、記録媒体に転写されたトナー像を、例えば熱と圧力とを用いて記録媒体に定着させる。
【００３２】
画像形成装置１０は、清掃装置１７０をさらに有する。清掃装置１７０は、トナー像が記録媒体に転写された後に感光体１１０に残留したトナー等を感光体１１０から除去し、感光体１１０を清掃する。
【００３３】
画像形成装置１０は、膜厚検出装置１８０をさらに有する。膜厚検出装置１８０は、検出手段の一例であって、感光体１１０の膜１１４の厚さを検出する。膜厚検出装置１８０は電流検出回路１８２を有し、帯電部材１２２に印加する帯電電圧と、その時に流れる帯電電流とを検出して膜１１４の厚さを検出する所謂電流検出方式を採用している。尚、膜厚検出装置１８０に電流検出方式を採用することに替えて、他の方式を採用してもよい。
【００３４】
画像形成装置１０は、供給装置２１０をさらに有する。供給装置２１０は、画像形成部１００に記録媒体を供給する装置であって、積層された状態の記録媒体を収納する収納部２１２と、収納部２１２が収納する記録媒体を画像形成部１００に向けて送り出す送出ロール２１４とを有する。
【００３５】
画像形成装置本体１２内には、搬送路２３０が形成されている。搬送路２３０は、供給装置２１０から画像形成部１００へと記録媒体を搬送し、画像形成部１００で画像が形成された記録媒体を定着装置１６０へと搬送し、定着装置１６０で画像が定着された記録媒体を画像形成装置本体１２の外へと向けて搬送する。また、搬送路２３０に沿って、記録媒体の搬送方向における上流側から順に、先述の送出ロール２１４と、レジストロール２３２と、先述の転写装置１５０と、先述の定着装置１６０と、排出ロール２３４とが配置されている。
【００３６】
レジストロール２３２は、記録媒体の先端部の移動を一時的に停止させて、画像形成部１００で像が形成されるタイミングに合致させるように、記録媒体の先端部の移動を再開させる。
【００３７】
排出ロール２３４は、定着装置１６０によりトナー像が定着された記録媒体を、画像形成装置本体１２外へと排出する。
【００３８】
以上のように構成された画像形成装置１０においては、供給装置２１０が供給した記録媒体に対して画像形成部１００がトナー像を形成し、トナー像が形成された記録媒体が画像形成装置本体１２外へと排出される。
【００３９】
また、以上のように構成された画像形成装置１０では、感光体１１０の膜１１４は、画像形成時に電気的ストレス、光学的ストレス、機械的ストレス等を受けて表面から摩耗し、膜１１４が摩耗をすると形成される画像の品質が低下する。このため、膜１１４の摩耗が進んだ感光体１１０は、膜１１４の摩耗が進んでいない他の感光体１１０に交換される。
【００４０】
このように感光体１１０は、膜１１４の摩耗に伴って交換をすることを要する部品であるため、膜１１４の摩耗を進行させないことが望ましい。また、膜１１４は、感光体１１０が回転すると、例えば清掃装置１７０や現像スリーブ１３８が保持する現像剤との摩擦等を原因として摩耗が進行するため、膜１１４の摩耗を進行させないためには、例えば、画像形成の終了後等の画像形成に用いられていない時点での感光体１１０の回転数を低減させることが望ましい。
【００４１】
図２には、画像形成装置１０の制御部３００を示すブロック図である。制御部３００は、少なくとも現像装置１３０を制御する制御部の一例であって、制御回路３０２を有し、制御回路３０２に通信インターフェイス３０４を介して画像データが入力されるとともに、膜厚検出装置１８０の出力が入力される。また、制御回路３０２からの出力で、帯電装置１２０、露光装置１９０、現像装置１３０、転写装置１５０、定着装置１６０及び供給装置２１０が制御され、通信インターフェイス３０４を介して入力された画像データに画像が記録媒体に出力される。
【００４２】
また、制御部３００は、画像形成装置１０が画像形成を開始する際に、感光体１１０の表面電位を予め定められた値となるように帯電装置１２０を制御し、現像スリーブ１３８の表面の電位が予め定められた値となるように現像装置１３０を（現像バイアス電源１４２）を制御する。
【００４３】
また、制御回路３０２は、画像形成装置１０が画像形成を停止する際に、感光体１１０の表面の電位を接地電位近づけるように、帯電装置１２０を制御して帯電装置１２０に感光体１１０を除電させる。また、制御回路３０２は、画像形成装置１０が画像形成を停止する際に、現像スリーブ１３８の表面の電位が接地電圧となるように現像装置１３０を制御する。
【００４４】
図３は、画像形成を停止する際の感光体１１０の表面の電位と、現像スリーブ１３８の表面の電位とを示すグラフである。図３に示すように、感光体１１０の表面の電位は、例えば５段階等、段階的に接地電位に近づいていく。すなわち、制御回路３０２は、帯電装置１２０を制御して、帯電装置１２０に感光体１１０の表面電位を段階的に接地電位へと近づけさせる。
【００４５】
また、現像スリーブ１３８の表面の電位は、感光体１１０の表面の電位と現像スリーブ１３８の表面の電位との差が予め定められた範囲内になるように、接地電位へと近づいていく。すなわち、制御回路３０２は、現像バイアス電源１４２を制御して、感光体１１０の表面の電位と現像スリーブ１３８の表面の電位との電位差が予め定められた値内になるように、現像バイアス電源１４２に現像スリーブ１３８の表面の電位を接地電位へと近づけさせる。ここで、感光体１１０と現像スリーブ１３８との電位差は、現像スリーブ１３８から感光体１１０へとトナーが移動しないように予め定められている。
【００４６】
図３に示す例は、膜１１４が摩耗していない場合の例であり、膜１１４が摩耗していない状態においては、時間Ｔ１で現像スリーブ１３８の電位が接地電位となる。
【００４７】
図４は、画像形成を停止する際における制御回路３０２による現像スリーブ１３８の表面の電位の制御を説明するフローチャートである。図４に示すように、最初のステップであるステップＳ１０において、制御部３００は、膜厚検出装置１８０の出力に基づいて、現像スリーブ１３８の表面を接地電位とするまでの時間を演算する。
【００４８】
ここで、膜１１４が摩耗し、膜１１４の厚さが薄くなるにつれて、感光体１１０は除電されにくくなり、感光体１１０の表面の電位が接地電位に近づくことに要する時間が長くなる。このため、制御部３００は、膜１１４が摩耗し、膜１１４の厚さ薄くなることに応じて、現像スリーブ１３８の表面の電位を接地電位とするまでの時間を長くするように演算し、感光体１１０の表面の電位と現像スリーブ１３８の表面の電位差を、予め定められた範囲内とする。
【００４９】
また、制御部３００は、感光体１１０の表面の電位が接地電位に近づくことに要する時間が長くなることに応じて、現像スリーブ１３８の表面の電位を接地電位とするまでの時間を長くするように演算し、感光体１１０の表面の電位と現像スリーブ１３８の表面の電位差を、予め定められた範囲内とする。
【００５０】
次のステップであるステップＳ２０では、ステップＳ１０で演算した時間で現像スリーブ１３８の表面が接地電位となるように、制御回路３０２は、現像バイアス電源１４２を制御する。この際、制御部３００は、現像スリーブ１３８の表面の電位を段階的に接地電位とさせ、例えば、５段階で（図３、図４を参照）、現像スリーブ１３８の表面の電位を接地電位とさせる。そして、ステップＳ２０いては、現像スリーブ１３８の表面の電位を接地電位に近づける時間を長くする際に、制御部３００は、例えば５つの段階等のそれぞれの段階を継続させる時間を均一に長くするとの制御を採用することができる。
【００５１】
また、ステップＳ２０においては、現像スリーブ１３８の表面の電位を接地電位に近づける時間を長くする際に、例えば５つ段階等の複数の段階の中の、例えば２つの段階等の少なくとも一つの段階を継続させる時間を長くし、段階毎に、その段階の継続する時間を定めるとの制御を採用してもよい。
【００５２】
図５は、上述のステップＳ２０における画像形成を停止する際の現像スリーブ１３８表面の電圧の制御を説明するグラフであり、図５（Ａ）は、感光体が摩耗していない場合の制御を説明していて、図５（Ｂ）は、感光体が摩耗した場合の第１の制御を説明していて、図５（Ｃ）は、図４（Ｃ）は、感光体が摩耗した場合の第２の制御を説明している。
【００５３】
ここで、図５（Ａ）に示す制御においては、制御部３００は、現像スリーブ１３８の表面の電位を５段階で接地電位となるように制御していて、制御を開始してから、現像スリーブ１３８の表面が接地電位となるまでの時間は、Ｔ１時間となっている。また、図５（Ａ）に示す制御においては、現像スリーブ１３８の電位が接地電位となるまでの４個の段階の継続時間は、それぞれにｔ１時間で同じとなっている。
【００５４】
また、図５（Ｂ）に示す制御においては、制御部３００は、現像スリーブ１３８の表面の電位を５段階で接地電位となるように制御していて、制御を開始してから、現像スリーブ１３８の表面が接地電位となるまでの時間が、Ｔ１時間よりも長いＴ２時間となるように制御している。また、図５（Ｂ）に示す制御においては、現像スリーブ１３８の電位が接地電位となるまでの４個の段階は、少なくとも一つの段階の継続時間が長くされ、それぞれの段階毎に、その時間を継続する時間が制御されている。
【００５５】
より具体的には、制御部３００は、最初の段階の継続時間と次の段階の継続時間との継続時間をｔ１時間で図５（Ａ）に示す場合と変えずに、３番めの段階の継続時間を時間ｔ１よりも長いｔ２時間として、４番めの段階の継続時間を時間ｔ１時間よりも長く、時間５よりも長い３時間にとなるように制御している。
【００５６】
また、図５（Ｃ）に示す制御においては、制御部３００は、現像スリーブ１３８の表面の電位を５段階で接地電位となるように制御していて、制御を開始してからＴ３時間で、現像スリーブ１３８の表面を接地電位とするように制御している。また、図５（Ｃ）に示す制御においては、制御部３００は、現像スリーブ１３８の電位が接地電位となるまでの４個の段階を継続させる時間を均一に長くするように制御し、その時間がｔ４時間となるように制御している。
【００５７】
図６は、画像形成装置１０の変形例が有する制御部３００を示すブロック図である。先述の本発明の実施形態の画像形成装置１０においては、制御回路３０２に膜厚検出装置１８０の出力が入力された。これに対して、この変形例では、画像形成装置１０は、膜厚検出装置１８０を有せず、通信インターフェイス３０４を介して制御回路３０２へと入力される画像の数、すなわち感光体１１０を用いて形成された画像の数を数える計数部３１０を有し、計数部３１０が数えた画像の数が制御回路３０２へと入力される。
【００５８】
また、先述の本発明の実施形態の画像形成装置１０では、膜厚検出装置１８０の出力に基づいて、感光体１１０の膜１１４の厚さが薄くなることに応じて、現像スリーブ１３８の表面の電位を接地電位とするまでの時間を長くするように、制御回路３０２が制御した。
【００５９】
これに対して、この変形例では、制御回路３０２は、計数部３１０の出力に基づいて、感光体１１０を用いて形成した画像の数が多くなることに応じて、現像スリーブ１３８の表面の電位を段階的に接地電位とするまでの時間を長くするように現像装置１３０を制御する
【符号の説明】
【００６０】
１０・・・画像形成装置
１１０・・・感光体
１１４・・・膜
１２０・・・帯電装置
１３０・・・現像装置
１３４・・・現像ロール
１３８・・・現像スリーブ
１４２・・・現像バイアス電源
１８０・・・膜厚検出装置
３００・・・制御部
３０２・・・制御回路
３１０・・・計数部
【図１】
2019184696.tif 000003
【図２】
2019184696.tif 000004
【図３】
2019184696.tif 000005
【図４】
2019184696.tif 000006
【図５】
2019184696.tif 000007
【図６】
2019184696.tif 000008